(57)【要約】【課題】趣向的な小祝宴等においての演出効果を高めることができる簡易鏡開き用酒樽を提供する点にある。【解決手段】木槌の叩き付けによって、鏡蓋２を鏡開き可能に構成された簡易鏡開き用酒樽Ａであって、上部に円形の開口が形成された酒樽様態の樽状本体部１に対して、放射状に複数の分割蓋体２Ａに分割された円盤状の鏡蓋２を着脱自在に備え、前記樽状本体部１の開口１Ｂには、鏡蓋２の周縁部２ａを支持する蓋受け部４が配備されている。【選択図】        図２
2005014988.tif 000002
【特許請求の範囲】
【請求項１】
木槌の叩き付けによって、鏡蓋を鏡開き可能に構成された簡易鏡開き用酒樽であって、上部に円形の開口が形成された酒樽様態の樽状本体部に対して、放射状に複数の分割蓋体に分割された円盤状の鏡蓋を着脱自在に備え、前記樽状本体部の開口には、鏡蓋の周縁部を支持する蓋受け部が配備されている簡易鏡開き用酒樽。
【請求項２】
前記蓋受け部が、樽状本体部の開口の全内周面に沿って内方に突出する内鍔状に形成されている請求項１記載の簡易鏡開き用酒樽。
【請求項３】
前記蓋受け部が、樽状本体部の開口に対して着脱自在な環状体から構成されている請求項１又は２記載の簡易鏡開き用酒樽。
【請求項４】
前記鏡蓋が、樽状本体部の開口に対する周縁の載置部分、及び、中心部分を除く部分に磁気連結手段を介して、隣り合う分割蓋同士が一体的に連結された鏡板状態と、分割蓋同士が分離された鏡割り状態に状態変化可能になっている請求項１、２又は３記載の簡易鏡開き用酒樽。
【請求項５】
前記樽状本体部には、上部開口に臨んで、少なくとも酒類液状体を汲み上げ可能な酒用容器が備えられている請求項１、２、３又は４記載の簡易鏡開き用酒樽。
【発明の詳細な説明】
【０００１】
【発明の属する技術分野】
本発明は、祝宴や打上げ等の簡易な儀式に用いる簡易鏡開き用酒樽に関する。
【０００２】
【従来の技術】
祝宴、祝賀、興行の始めや打ち止め、出初め式等の伝統的儀式や社会的儀式には、古くから鏡開きが行われている。
この鏡開きとしては、酒樽や、この酒樽に化粧を施した菰樽の上蓋である鏡板を木槌で叩き付けて、酒樽を開く行為によっておこなわれ、儀式の印象を高める等の演出効果を有する（特許文献１参照）。
【０００３】
【特許文献１】
特開２００２−２７６３号公報（第１頁、第２頁、図３）
【０００４】
【発明が解決しようとする課題】
ところが、この種の鏡開きは、儀式性を有するため、神聖で社会性のある公（おおやけ）の場で行われる慣行を有し、加えて、実施においても、日本酒が入った菰樽や酒樽を用いて行われるため、用意や段取りなどの点で面倒で大変なところがあり、一般の宴やコンパ等の個人的趣向が強い集まりなどでは行われることはない。
しかし、近年、一例として、スポーツの娯楽性を反映して、プロ野球やプロサッカーなどの球団やチームを応援する宴やコンパが多く行われるようになっており、具体的には、応援する球団やチームが勝利したり優勝したりすることによって祝宴を催したり、成り行き的に祝宴状態になったりしている。
このような状況の中で、節目に当たる勝利や、優勝等の場合、唯単なる飲み会に終わらず、よりその場の雰囲気を盛り上げたい気持ちが生じるのも自然な成り行きである。
【０００５】
本発明は、上述の実状に鑑みて為されたものであって、その主たる課題は、趣向的な小祝宴等においての演出効果を高めることができる簡易鏡開き用酒樽を提供する点にある。
【０００６】
【課題を解決するための手段】
本発明の請求項１による簡易鏡開き用酒樽の特徴構成は、木槌の叩き付けによって、鏡蓋を鏡開き可能に構成された構成において、上部に円形の開口が形成された酒樽様態の樽状本体部に対して、放射状に複数の分割蓋体に分割された円盤状の鏡蓋を着脱自在に備え、前記樽状本体部の開口には、鏡蓋の周縁部を支持する蓋受け部が配備されている点にある。
【０００７】
上記特徴構成によれば、樽状本体部の開口に載置された鏡蓋の板中央部分を、木槌で叩きつけることによって、この叩きつけ力が、受け部経由で鏡蓋の分割蓋板が分離状態で開口から外方に向かって飛び出そうとする反力として作用する。
【０００８】
従って、樽状本体部を鏡開き状態にすることができるので、祝宴の趣旨に対応する印象的な演出効果を形成することができる。
ここで、鏡開き状態とは、樽上本体部の開口から鏡蓋を構成する分割蓋体が外されたり持ち上がったりする等の叩き割り状態を指し、その結果、樽状本体部の上部開口が開けばよいが、開かなくてもよい。また、叩きつけに用いる木槌として、木という表現を使用しているが、木製はもとより合成樹脂製のものであってもよい。
【０００９】
本発明の請求項２による簡易鏡開き用酒樽の特徴構成は、前記蓋受け部が、樽状本体部の開口の全内周面に沿って内方に突出する内鍔状に形成されている点にある。
【００１０】
上記特徴構成によれば、開口の全内周面に蓋受け部が形成されることによって、木槌の叩きつけによる鏡蓋に作用する飛び出し反力が、何れの内周角度位置にあっても作用することができる状態を形成しているので、分割蓋体の飛び出し状態が安定している。
【００１１】
従って、鏡開きをするものに操作上の難点が少ないので、安定した鏡開き状態を演出することができる。
【００１２】
本発明の請求項３による簡易鏡開き用酒樽の特徴構成は、前記蓋受け部が、樽状本体部の開口に対して着脱自在な環状体から構成されている点にある。
【００１３】
上記特徴構成によれば、木槌で鏡蓋を叩きつけた飛び出し反力は、蓋受け部が変形することによって作られるが、蓋受け部が樽状本体部と分離した状態にあるので、叩きつけ力の殆どが蓋受け部の変形に作用して、樽状本体部に変形力が作用することが回避されるとともに、蓋受け部自体が変形力を吸収して元の状態に戻ることによって開放される。
【００１４】
従って、反復して鏡開きを実行する場合であっても、反復疲労を生じ難い構造になっているので、長期に亘って鏡開き初期状態と同様に実行することができ、使用信頼性の向上を図ることができる。
【００１５】
本発明の請求項４による簡易鏡開き用酒樽の特徴構成は、前記鏡蓋が、樽状本体部の開口に対する周縁の載置部分、及び、中心部分を除く部分に磁気連結手段を介して、隣り合う分割蓋同士が一体的に連結された鏡板状態と、分割蓋同士が分離された鏡割り状態に状態変化可能になっている点にある。
【００１６】
上記特徴構成によれば、隣り合う分割蓋板同士が連結する状態では、一枚の鏡蓋を形成して、樽状本体に対する着脱を簡単に行うことができ、鏡開き状態では、一枚状態の鏡蓋から叩き込みの反力によって分割蓋板が分離した状態が、鏡開きを行う毎に異なり同じになることがなく、飽きがなく、むしろ意外性を楽しむ趣向を形成することができる。
【００１７】
従って、取扱い性が良好でありながら、鏡開きの視覚的な演出効果を高めることができる。
【００１８】
本発明の請求項５による簡易鏡開き用酒樽の使用方法の特徴構成は、前記樽状本体部には、上部開口に臨んで、少なくとも酒類液状体を汲み上げ可能な酒用容器が備えられている。
【００１９】
上記特徴構成によれば、鏡開きが終わると祝杯等することができる。
【００２０】
従って、簡易的な鏡開きであっても、酒類が備えられていることによって、簡易的でありながらも本格的で、且つ、伝統的な雰囲気は十分に提供することができるので、より一層の演出効果を高めることができる。
【００２１】
【発明の実施の形態】
〔第１実施形態〕
以下、本発明を適用した簡易鏡開き用酒樽を図面に基づいて説明する。
簡易鏡開き用酒樽Ａは、図１〜図５に示すように、上部に円形の開口１Ａが形成された酒樽様態の樽状本体部１に対して、複数の扇状の分割蓋体２Ａを連結して円盤状体を形成する鏡蓋２が着脱自在に備えられて構成され、木槌Ｔの叩き付けによって、鏡蓋２を鏡開き可能になっている。
【００２２】
この実施形態の簡易鏡開き用酒樽Ａは、例えば、高さが約１６０ｍｍ程度、樽状本体１の幅が約１６５ｍｍ程度、鏡蓋２の直径が約１３２ｍｍ程度で、カウンターやテーブル等の上に、手運びで載せることができる大きさのものを例にとって説明する。
【００２３】
樽状本体部１は、図１〜図３に示すように、底部に環状の台座１０ａを一体形成された上面開口の有底容器状の芯材１０に対して、合成樹脂製素材から形成されたシート状の菰部材１１を、上部開口には外側から内側に巻き込むとともに、胴回りには周方向に巻装し、合成樹脂素材からなる太縄部材１２、細縄部材１３等を用いて菰部材１１を芯材に止着して外殻部１Ａが形成され、この外殻部１Ａには、開口１Ｂに臨んで上部が開口する有底筒状の酒用容器５が着脱自在に収容されて構成されている。そのため、この実施形態では、この酒用容器５の上部開口が樽状本体部１の開口１Ｂを構成している。
【００２４】
この酒用容器５には、開口内周面に沿って開口端よりも小径となる内周段差５Ａが形成され、この内周段差部５Ａに周縁部４ａが載置可能になった環状板からなる蓋受け部である蓋受け体４が配備され、前記鏡蓋２の周縁部２ａの載置部となっている。そして、蓋受け体４が内周段差部５Ａに周縁部４ａが載置された状態では、樽状本体部の開口１Ｂの全内周面に沿って内方に突出して内鍔状に形成された蓋受け部を構成する。
【００２５】
この実施形態の酒用容器５は、約８合〜１０合（１．８Ｌ）の日本酒などの酒類を収納可能になっており、飲酒の際には、杓などによって注ぐことが可能になっている。
【００２６】
前記蓋受け体４は、透明性のある厚さが約２ｍｍ程度のアクリルなどの合成樹脂から形成され、中央に約１００ｍｍ程度の丸孔が形成され、酒用容器５の内周段差部５Ａに載置された状態では、酒用容器５内が見える状態になるとともに、中央の孔４ｂを通して酒用容器５内に収納された酒類を汲み取ることができる構成になっている。
【００２７】
前記鏡蓋２は、図１〜図３に示すように、周方向に等角度に３分割された分割蓋板２Ａを磁気的連結手段によって、隣り合う分割蓋板２Ａ，２Ａ同士が一体的に連結された鏡蓋状態と、分割蓋板２Ａ，２Ａ同士が分離された鏡割り状態に状態変化可能に連結されている。
【００２８】
前記磁気的連結手段７は、鏡蓋２において、前記蓋受け体４に対する載置部である周縁部２ａ、及び、中心部分２ｂを除く部分に対応して、隣り合う一方と他方に磁極を異ならせた磁石８，８を取付けて、近接状態で磁気吸引連結がなされて、３枚の分割蓋板２Ａ，２Ａ，２Ａを連結状態にして、円盤状の鏡蓋２を形成することができるようになっている。
【００２９】
各分割蓋板２Ａは、３ｍｍ〜７ｍｍ程度の肉厚さを有するベニヤ板などの扇状の木板２Ａａと、この木板２Ａａの全表面に対応して、木目模様が描かれた合成樹脂シート２Ａｂが貼着されており、３枚の分割蓋板２Ａ，２Ａ，２Ａを磁気連結することによって、木目模様が揃う状態に連結することができる構成になっている。
【００３０】
また、各分割蓋板２Ａの側面に対応する木板２Ａａの中央側面部分には、外方に開放するとともに、磁極面が外方を向くように磁石７が嵌め込まれた切欠溝２ｃが形成されている。
【００３１】
前記磁石７の吸引力は、連結された３枚の分割蓋板２Ａ，２Ａ，２Ａからなる鏡蓋２を持ち運びするようなことで連結状態が外れない程度の吸着力のものが使用されている。
【００３２】
また、樽状本体部１には、正面に対応して、Ｕ字状の紙、樹脂シート、不織シート等からなるディスプレイシート３が、樽状本体部１の上部に周方向に沿って細縄１３を複数巻きしてある巻き部分１３Ａと菰部材１１の間に、菰部材１１の弾性付勢力に抗する挟みによって装着可能になっている。
【００３３】
ディスプレイシート３には、例えば、登録商標された酒名、会社名、模様等が描かれ、趣向によっては、プロ球団名、球団シンボル、優勝目標年月等が描かれている。
【００３４】
前記菰部材１１には、菰素材であるムシロ（菰）形態の立体模様や色彩が施され、各種縄部材１２，１３においても、藁縄形態に形成されている。
【００３５】
また、前記樽状本体部１の開口周縁部には、前面側の胴半分部分には、和紙や不織布からなる白生地の化粧回し６を施して、見る者に菰部材１１と酒用容器５とが違和感なく見える工夫がなされている。
【００３６】
前記樽状本体部１は、図１、図２に示すように、周方向に沿って３箇所に、上下方向に太縄部材１２が立ち上げ配置され、本体部１上部に巻装された細縄部材１３と一緒に巻止められ、各太縄部材１２においては、先端が結び目となっているとともに、結び目から飛び出している結び縄の先端部分１２Ａに、紅白の化粧細縄１４が巻止されて、太縄部材１２が勝手に縄解け状態にならない工夫と、見栄えのよい工夫がなされている。
【００３７】
このような構成にすることによって、酒用容器５内に日本酒を注ぎいれ、樽状本体部１に対して鏡蓋２を装着することによって、鏡開きされる簡易鏡開き用菰樽Ａを形成すことができる。
【００３８】
このように形成された簡易鏡開き用菰樽Ａは、適宜場所に載置される。
そして、図４に示すように、簡易鏡開き用酒樽Ａの鏡蓋２の中央部分２ｂを、木槌Ｔによって叩きつけることによって、蓋受け体４経由で鏡蓋２の分割蓋板２Ａ，２Ａ，２Ａが，開口１Ｂから外方に向かって飛び出そうとする飛び出し力を受けて、例えば、図５に示すように、磁気連結状態が解かれて、分割蓋板２Ａ，２Ａ，２Ａが開口１Ｂから分離状態で外方に向かって飛び出して、樽状本体部１を鏡開き状態にすることができる。
【００３９】
この鏡開きによって、簡易鏡開き用酒樽Ａの上面が開かれて、酒用容器５内の日本酒を杓などによって汲み上げられる状態にすることができる。
【００４０】
また、飛出た分割蓋板２Ａ，２Ａ，２Ａを再び連結して、鏡蓋２として樽状本体部１の開口１Ｂを閉蓋することによって、反復して鏡開きを行うことができる。
【００４１】
しかも、この実施形態の簡易鏡開き用酒樽Ａにおいては、樽状本体部１を構成する、芯材１０、菰部材１１、酒用容器５、化粧回し６等が主に合成樹脂から形成され、鏡蓋２においても分割鏡蓋板２Ａ，２Ａ，２Ａの全表面が合成樹脂シート２Ａｂで被覆されているので、水洗いや水拭きすることが可能であるので、使い捨てでなく長期に亘って反復使用可能である。
【００４２】
また、大きさの面でも、手運びすることができる大きさのものであるので、取扱い性や保管性がよく、簡易的な鏡開きには最適な構造になっている。
【００４３】
さらに、樽状本体部１に掛け止可能となったディスプレイシート３を上記内容とは別の内容を描いたディスプレイシート３に変更することによって、例えば、誕生日会において、誕生日である人の名前が描かれたディスプレイシートを用いたり、還暦の祝いにおいて、赤いディスプレイシートを用いたり、コンパおいて、主催項目を記載したディスプレイシートを用いたり、趣向が異なる小祝宴、個人的趣向の祝宴や儀式に対応して用いることができる。
【００４４】
〔別実施形態〕
１）  上記実施形態では、樽状本体部１が、芯材１０、菰部材１１、太縄部材１２、細縄部材１３、酒容器５、化粧回し６等の部品を組付けることによって構成されたものについて説明したが、樽状本体部１が、菰樽様態が描かれた合成樹脂から形成された酒用容器部品から構成され、これに対して、複数の分割蓋板を連結構成された鏡蓋を着脱自在にするものであってもよい。
【００４５】
２）  上記樽状本体部１のディスプレイシート３は、菰部材１１に貼着されたものであっても、或は、菰部材１１に直接にディスプレイ３を描いた構成にして、ディスプレイシート３の部品削減化を図ったものであってもよい。
【００４６】
３）  上記実施形態の鏡蓋２は３枚の分割鏡蓋板２Ａ，２Ａ，２Ａから構成されるものについて説明したが、本発明はこれに限らず、２枚の分割鏡蓋板から構成されていても、３枚以上の枚数の分割鏡蓋板から構成されていてもよい。
また、上記実施形態の分割鏡蓋板２Ａは、夫々が同形状のものについて説明したが、これに限らず、複数の異型の分割鏡蓋板から構成されていてもよい。
【００４７】
４）  上記実施形態では、蓋受け体４が、酒用容器５とは別体の環状アクリル板から形成されたものについて説明したが、本発明はこれに限らず、飛び出し反力は小さくなるが、図６に示すように、環状アクリル板を用いないで、酒用容器５の内周段差部５Ａに直接に鏡蓋２の周縁部分２ａを載置する構成にしてもよい。
この場合、酒用容器５の内周段差部５Ａが鍔受け部を構成する。
また、酒用容器５の開口内周面に、周方向に沿って複数の支持片を突設形成して鏡蓋が載置可能な構成であってもよい。
【００４８】
５）  上記実施形態においては、隣り合う分割鏡蓋板２Ａ，２Ａにおける連結部の一方と他方に磁極を異ならせた磁石８，８を設けて、近接状態で磁気吸引連結がなされる磁気的連結手段７について説明したが、本発明はこれに限らず、隣り合う分割鏡蓋板２Ａ，２Ａにおける連結部の一方に磁石を設け、他方に磁性体を設けて、近接状態で磁気吸引連結がなされる磁気的連結手段であってもよい。
６）  上記実施形態においては、樽状本体部１が菰樽形態のものについて説明したが、これに限らず、樽状本体部１に菰が取付けられていない木樽形態のものであってもよい。
【００４９】
７）  上記実施形態では、樽状本体部１の開口１Ｂに対して、複数（３枚）の分割蓋板２Ａを磁気連結手段７によって、円盤状に一体連結された鏡蓋２を着脱自在にしたものを説明したが、本発明はこれに限らず、磁気連結手段７を用いないで、唯単に複数の分割蓋板２Ａを組み合わせると円盤状の形になる鏡蓋を、樽状本体部１の開口１Ｂに対して着脱自在にしたものであってもよい。
【図面の簡単な説明】
【図１】本発明を適用した第１実施形態の簡易鏡開き用酒樽を示す分解斜視図
【図２】鏡蓋と蓋受け部との関係を示す簡易鏡開き用酒樽の分解斜視図
【図３】簡易鏡開き用酒樽の断面図
【図４】簡易鏡開き用酒樽の鏡蓋に木槌を叩きつけようとしている状態を示す斜視図
【図５】樽状本体部に対して分割鏡蓋板が飛び出した状態を示す斜視図
【図６】本発明を適用したその他の実施形態の簡易鏡開き用酒樽を示す分解斜視図
【符号の説明】
Ａ            簡易鏡開き用酒樽
Ｔ            木槌
１            樽状本体部
１Ｂ          開口
２            鏡蓋
２ａ          周縁部
２Ａ          分割蓋体
４            蓋受け体
５            酒用容器
７            磁気的連結手段
【図１】
2005014988.tif 000003
【図２】
2005014988.tif 000004
【図３】
2005014988.tif 000005
【図４】
2005014988.tif 000006
【図５】
2005014988.tif 000007
【図６】
2005014988.tif 000008